(57)【特許請求の範囲】
【請求項１】
吊下げ具本体を有し、
この吊下げ具本体に、
この吊下げ具本体を吊下げ用フックに吊り下げ可能とする吊下げ用開口窓と、
取付け用貫通孔を形成しているとともに被吊下げ物品を収容した収納容器を取り付け可能な物品取付け部と、を形成した物品吊下げ具であって、
前記吊下げ具本体は、
ＩＣチップおよびＲＦＩＤアンテナを有して、前記被吊下げ物品に関する情報について無線によるデータ通信が可能なＲＦＩＤインレイを、前記吊下げ具本体の面から立体的に起立した状態で取り付け可能なインレイ取付け部を有し、
前記物品取付け部は、
前記吊下げ具本体の下方部に位置しているとともに、前記収納容器の前記取付け用貫通孔に係合する係合ピンと、
この係合ピンとの間に前記収納容器を挟持して固定可能なロック部材と、を備え、
前記ロック部材は、
ロック片ヒンジ部において前記吊下げ具本体に対して回動可能であり、前記吊下げ具本体の表面から起立して前記係合ピンに係合可能としたロック片であり、
第１のブロックヒンジ部において前記吊下げ具本体に対して回動し、前記係合ピンとは異なる部位に設けた補助係合ピンに係合可能としているとともに、第２のブロックヒンジ部において前記吊下げ具本体に対して回動して前記係合ピンに係合可能なロックブロックであることを特徴とする物品吊下げ具。
【請求項２】
前記インレイ取付け部は、
前記吊下げ具本体の面から立体的に起立していることを特徴とする請求項１記載の物品吊下げ具。
【請求項３】
前記インレイ取付け部は、
前記吊下げ具本体の面と交差している他の面であることを特徴とする請求項１記載の物品吊下げ具。
【請求項４】
前記ロックブロックは、
前記吊下げ具本体に対して前記第１のブロックヒンジ部において回動可能な第１のブロック部と、
この第１のブロック部に対して前記第２のブロックヒンジ部において回動し、前記係合ピンに係合可能な第２のブロック部と、を有することを特徴とする請求項１記載の物品吊下げ具。
【発明の詳細な説明】
【技術分野】
【０００１】
本発明は物品吊下げ具にかかるもので、とくにＲＦＩＤ（Ｒａｄｉｏ  Ｆｒｅｑｕｅｎｃｙ  Ｉｄｅｎｔｉｆｉｃａｔｉｏｎ；無線自動認識）インレイを備えて商品その他各種物品の陳列販売や管理に利用可能な物品吊下げ具に関するものである。
【背景技術】
【０００２】
従来から、ＩＣチップおよびＲＦＩＤアンテナを有して無線によりデータの書込みおよび読取りを行うことができるＲＦＩＤタグやＲＦＩＤラベルを各種物品に取り付け、これら物品ついての各種データの読み書きを行って、必要なデータ管理など諸々の分野に利用している。
【０００３】
たとえば、小売店などにおいて、商品を容れた商品パッケージ（収納容器）を吊下げ用フックなどに吊り下げて陳列販売することが行われている。
図９は、従来からの商品パッケージ１の正面図であって、商品パッケージ１は、その上部に円形状の取付け用貫通孔２を形成しているとともに商品Ｍ（被吊下げ物品）を収納し、さらにＲＦＩＤインレイ３を商品パッケージ１にラベルあるいはタグの形態として取り付けている。
【０００４】
ＲＦＩＤインレイ３は、ＩＣチップ４およびＲＦＩＤアンテナ５と、を有する。
ＲＦＩＤインレイ３は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９３０ＭＨｚ、９５０〜９５６ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、ＲＦＩＤアンテナ５を介してＩＣチップ４に必要なデータの無線による読み取りおよび書き込み（データ通信）を行う。
ただし、それぞれの使用電波に応じてＩＣチップ４およびＲＦＩＤアンテナ５の具体的構成を適正なものとしている。
【０００５】
図１０は、商品パッケージ１の陳列状態を示す側面図であって、陳列棚６から突出させた吊下げ用フック７（ストレートフック）に取付け用貫通孔２を通して、複数個の商品パッケージ１を陳列し、小売店における販売管理や在庫管理に利用している。
【０００６】
しかしながら、ＲＦＩＤインレイ３を商品パッケージ１に直接取り付け（あるいは貼り付け）ていることから、ＲＦＩＤインレイ３の取付け部位や姿勢が商品パッケージ１（商品Ｍ）ごとにばらつくために、とくにＲＦＩＤインレイ３のデータを読み取って在庫管理などを行う場合に、在庫管理用のリーダーライター（図示せず）のリーダーライターアンテナ８とＲＦＩＤインレイ３との相対姿勢が互いにほぼ直交しているためＲＦＩＤインレイ３との間のデータ読取り精度が低下すること、したがって、複数個の商品パッケージ１のデータを一括して読み取りしにくいこと、という問題がある。
また、商品パッケージ１内部の商品Ｍが金属製の場合には、ＲＦＩＤインレイ３が近接している金属の影響を受けて無線データ読取りの精度が低下するという問題がある。
なおまた、商品パッケージ１の大きさや形状さらには重量などによっては、これを安定して確実に吊り下げることが要請される場合がある。
【０００７】
さらに、購買者が吊下げ用フック７の奥側の商品Ｍを取り出したいときには、手前にある商品Ｍを一度取り外す必要があり、不便であるという問題がある。
もちろん、図９に仮想線で示すように、取付け用貫通孔２自体を外縁部に連通する連続孔２Ａとすれば、上記問題は解消されるが、一般的に販売用として利用されているすべての商品パッケージ１が連続孔２Ａの形態を採用しているわけではなく、小売店としての対応を迫られているのが実情である。
また、商品パッケージ１が薄いものである場合には、吊下げ用フック７上で複数の商品パッケージ１が密に重なって商品Ｍを確認しにくくなるほか、ＲＦＩＤインレイ３どうしが重なるとデータ通信ができなくなるという問題がある。
【０００８】
上述のような諸問題は、小売店などにおける商品の陳列販売に限らず、医療機関において各種の医療機器あるいは機材や薬品の保管管理にも同様のシステムを採用する場合はもちろん、その他の分野における物品の陳列、保管管理についても、同様の諸問題が発生する可能性がある。
【先行技術文献】
【特許文献】
【０００９】
【特許文献１】実開平３−８６５号公報
【発明の概要】
【発明が解決しようとする課題】
【００１０】
本発明は以上のような諸問題にかんがみなされたもので、吊下げ用フックと商品など物品の収納容器との間に介在させて物品を吊り下げておくことができる物品吊下げ具を提供することを課題とする。
【００１１】
また本発明は、吊下げ用フックに吊り下げられている物品の順序にかかわらず着脱自在とした物品吊下げ具を提供することを課題とする。
【００１２】
また本発明は、ＲＦＩＤインレイの姿勢を均等に統一可能で、その読取り操作を確実にするとともにその精度も向上可能な物品吊下げ具を提供することを課題とする。
【００１３】
また本発明は、在庫管理などにおいて一括読取り操作を可能とした物品吊下げ具を提供することを課題とする。
【００１４】
また本発明は、複数個の商品その他の物品が重なり合っている場合であっても、それぞれの収納容器の間に所定の間隔を確保可能な物品吊下げ具を提供することを課題とする。
【００１５】
また本発明は、収納容器内部の商品などの物品の特性（たとえば材料が金属など）に影響されずにデータ読取り操作を可能とした物品吊下げ具を提供することを課題とする。
【００１６】
また本発明は、収納容器ないし被吊下げ物品の大きさや形状さらには重量などに応じて、これを安定して確実に吊り下げることができる物品吊下げ具を提供することを課題とする。
【課題を解決するための手段】
【００１７】
すなわち本発明は、インレイ取付け部によりＲＦＩＤインレイを吊下げ具本体の面から立体的に起立した状態で取り付けること、収納容器の取付け用貫通孔に係合する係合ピンを設けて収納容器を固定可能とすることに着目したもので、吊下げ具本体を有し、この吊下げ具本体に、この吊下げ具本体を吊下げ用フックに吊り下げ可能とする吊下げ用開口窓と、取付け用貫通孔を形成しているとともに被吊下げ物品を収容した収納容器を取り付け可能な物品取付け部と、を形成した物品吊下げ具であって、上記吊下げ具本体は、ＩＣチップおよびＲＦＩＤアンテナを有して、上記被吊下げ物品に関する情報について無線によるデータ通信が可能なＲＦＩＤインレイを、上記吊下げ具本体の面から立体的に起立した状態で取り付け可能なインレイ取付け部を有し、上記物品取付け部は、上記吊下げ具本体の下方部に位置しているとともに、上記収納容器の上記取付け用貫通孔に係合する係合ピンと、この係合ピンとの間に上記収納容器を挟持して固定可能なロック部材と、を備えていることを特徴とする物品吊下げ具である。
上記インレイ取付け部は、上記吊下げ具本体の面から立体的に起立していることができる。
上記インレイ取付け部は、上記吊下げ具本体の面と交差している他の面であることができる。
上記ロック部材は、ロック片ヒンジ部において上記吊下げ具本体に対して回動可能であり、上記吊下げ具本体の表面から起立して上記係合ピンに係合可能としたロック片であることができる。
上記ロック部材は、第１のブロックヒンジ部において上記吊下げ具本体に対して回動し、上記係合ピンとは異なる部位に設けた補助係合ピンに係合可能としているとともに、第２のブロックヒンジ部において上記吊下げ具本体に対して回動して上記係合ピンに係合可能なロックブロックであることができる。
上記ロックブロックは、上記吊下げ具本体に対して上記第１のブロックヒンジ部において回動可能な第１のブロック部と、この第１のブロック部に対して上記第２のブロックヒンジ部において回動し、上記係合ピンに係合可能な第２のブロック部と、を有することができる。
上記吊下げ用開口窓は、上記吊下げ具本体の縁部からその幅方向中心部に至る縁部開口窓と、この縁部開口窓に連続しているとともに上記吊り下げ用フックに引っ掛け可能な中心開口窓と、を有することができる。
【発明の効果】
【００１８】
本発明による物品吊下げ具においては、被吊下げ物品に関する情報について無線によるデータ通信が可能なＲＦＩＤインレイを、インレイ取付け部により吊下げ具本体の面から立体的に起立させるように構成するとともに、物品取付け部には、収納容器の取付け用貫通孔に係合する係合ピンと、この係合ピンとの間に収納容器を挟持して固定可能なロック部材と、を設けたので、ＲＦＩＤインレイを一定方向に並列可能であり、ＲＦＩＤインレイとの間のデータ通信の効率化および精度向上に寄与することができる。
【図面の簡単な説明】
【００１９】
【図１】本発明の第１の実施例による物品吊下げ具１０の説明図であって、図１（１）は、その平面図、図１（２）は、その正面図、図１（３）は、その右側面図である。
【図２】同、物品吊下げ具１０の斜視図である。
【図３】同、ロック片１７と係合ピン１６とが係合して商品パッケージ１を固定している状態を示す斜視図である。
【図４】同、複数個の商品パッケージ１を複数個の物品吊下げ具１０により陳列棚６の吊下げ用フック７にそれぞれ吊り下げた状態の側面図である。
【図５】同、本発明の第２の実施例による物品吊下げ具３０の説明図であって、図５（１）は、その平面図、図５（２）は、その正面図である。
【図６】同、物品吊下げ具３０の斜視図である。
【図７】同、第１のブロック部３５の補助係合孔４１を補助係合ピン４０に嵌め込んで第１のブロック部３５を吊下げ具本体３１に固定した状態の斜視図である。
【図８】同、第２のブロック部３６のブロック係合孔３９を係合ピン１６に嵌め込んで、第２のブロック部３６を吊下げ具本体３１に固定した状態の斜視図である。
【図９】従来からの商品パッケージ１の正面図である。
【図１０】同、商品パッケージ１の陳列状態を示す側面図である。
【発明を実施するための形態】
【００２０】
本発明は、吊下げ具本体からＲＦＩＤインレイを立体的に位置させることが可能なインレイ取付け部と、物品の収納容器を固定可能な物品取付け部と、を設けたので、各ＲＦＩＤインレイの姿勢ないし取付け方向を均等に統一可能で、データ通信の精度を向上可能な物品吊下げ具を実現した。
【実施例】
【００２１】
つぎに本発明の第１の実施例による物品吊下げ具１０を図１ないし図４にもとづき説明する。ただし、図９および図１０と同様の部分には同一符号を付し、その詳述はこれを省略する。
図１は、物品吊下げ具１０の説明図であって、図１（１）は、その平面図、図１（２）は、その正面図、図１（３）は、その右側面図、図２は、物品吊下げ具１０の斜視図である。
物品吊下げ具１０は、吊下げ具本体１１を有し、図１（２）の上方部から順に、吊下げ具本体１１の上方部におけるインレイ取付け部１２と、フック引掛け部１３と、物品取付け部１４と、を有する。
【００２２】
吊下げ具本体１１は、合成樹脂ないしは合成ゴムなど任意の弾力性および剛性を有する材料から射出成形加工などにより、図示のような外形にこれを形成している。
吊下げ具本体１１を任意の弾力性および剛性を有する材料から一体形成することにより、商品パッケージ１の大きさや形状、重量などに応じて所定の強度および剛性さらには吊下げ安定性を確保可能である。
【００２３】
インレイ取付け部１２は、とくに図１（３）に示すように、吊下げ具本体１１の上方部の面から立体的に起立した断面ほぼ台形状の部分であり、その上端面１２Ａに前記ＲＦＩＤインレイ３を、吊下げ具本体１１の面から立体的に起立した状態で取り付け可能としている。
なお、上記ＲＦＩＤインレイ３は、前述のように、ＩＣチップ４およびＲＦＩＤアンテナ５を有して、商品Ｍ（被吊下げ物品）に関する情報について無線によるデータ通信が可能である。
【００２４】
フック引掛け部１３は、吊下げ具本体１１を前記吊下げ用フック７に吊り下げ可能とする吊下げ用開口窓１５を形成してある。
吊下げ用開口窓１５は、吊下げ具本体１１の縁部から斜め方向に向かってその幅方向中心部に至る縁部開口窓１５Ａと、この縁部開口窓１５Ａに連続しているとともに吊下げ具本体１１の中心部に位置して吊り下げ用フック７に引っ掛け可能な中心開口窓１５Ｂと、からこれを形成している。
【００２５】
物品取付け部１４は、前記被吊下げ物品（商品Ｍ）を収容した収納容器（商品パッケージ１）を取り付け可能であって、係合ピン１６と、ロック部材（ロック片１７）と、を有する。
【００２６】
係合ピン１６は、吊下げ具本体１１の下方部に位置して吊下げ具本体１１の表面に直立しているとともに、商品パッケージ１の取付け用貫通孔２に係合可能である。
【００２７】
ロック片１７は、その先端部側にロック片係合孔１８を形成してあり、吊下げ具本体１１の表面からロック片ヒンジ部１９を軸として起立してロック片係合孔１８と係合ピン１６との係合を可能とし、係合ピン１６の部分において吊下げ具本体１１との間に商品パッケージ１を挟持して固定可能である。
【００２８】
こうした構成の物品吊下げ具１０の使用方法について、図３および図４にもとづき説明する。
図３は、ロック片１７と係合ピン１６とが係合して商品パッケージ１を固定している状態を示す斜視図、図４は、複数個の商品パッケージ１を複数個の物品吊下げ具１０により陳列棚６の吊下げ用フック７にそれぞれ吊り下げた状態の側面図であって、吊下げ用フック７上に商品パッケージ１を整然と整列した状態で、しかもそれぞれの商品パッケージ１の間に所定の間隔をあけた状態での陳列が可能である。
したがって、商品パッケージ１ないし商品Ｍの確認が容易であるとともに、在庫管理などにおいて、陳列棚６の屋根部２０に取り付けているリーダーライター（図示せず）の前記リーダーライターアンテナ８に対してＲＦＩＤインレイ３をほぼ平行に位置させることができて、リーダーライターアンテナ８との間で精度よくデータ通信が可能となる。
【００２９】
また、フック引掛け部１３には、吊下げ具本体１１の縁部から中心部に至る開放状の吊下げ用開口窓１５（縁部開口窓１５Ａ、中心開口窓１５Ｂ）が形成されているので、吊下げ用フック７におけるどの商品パッケージ１も任意に取り出しが可能である。
さらに、商品Ｍの販売後には、当該物品吊下げ具１０を再利用することができる。
【００３０】
本発明におけるインレイ取付け部および物品取付け部には、それぞれ任意の構成が可能である。
たとえば図５は、本発明の第２の実施例による物品吊下げ具３０の説明図であって、図５（１）は、物品吊下げ具３０の平面図、図５（２）は、その正面図、図６は、物品吊下げ具３０の斜視図である。
物品吊下げ具３０は、吊下げ具本体３１を有し、図５（２）の上方部から順に、吊下げ具本体３１の上方部におけるインレイ取付け部３２と、前記フック引掛け部１３と、物品取付け部３３と、を有する。
【００３１】
吊下げ具本体３１は、合成樹脂ないしは合成ゴムなど任意の弾力性および剛性を有する材料から射出成形加工などにより、図示のような外形にこれを形成している。
吊下げ具本体３１が、前述した物品吊下げ具３０（第１の実施例、図１）の吊下げ具本体１１と異なる構成は、全体の厚さを確保して、商品パッケージ１を固定した状態（図８、後述）では、吊下げ具本体３１全体として、たとえば直方体形状としている点である。
吊下げ具本体３１を直方体形状とすることにより、商品パッケージ１の大きさや形状、重量などに応じて所定の強度および剛性さらには吊下げ安定性を確保可能である。
【００３２】
インレイ取付け部３２は、とくに図５（１）に示すように、吊下げ具本体３１の面（正面３１Ａ）と交差している他の面（上端面３１Ｂ）としてこれを構成している。
すなわち、このインレイ取付け部３２（上端面３１Ｂ）に、前記ＲＦＩＤインレイ３を、吊下げ具本体３１の面（正面３１Ａ）から立体的に（図示の例では直交するように）位置する状態に取り付け可能としている。
【００３３】
フック引掛け部１３には、前記物品吊下げ具３０（第１の実施例、図１）と同様に、吊下げ具本体３１を前記吊下げ用フック７に吊り下げ可能とする前記吊下げ用開口窓１５（縁部開口窓１５Ａ、中心開口窓１５Ｂ）を形成してある。
【００３４】
物品取付け部３３は、前記被吊下げ物品（商品Ｍ）を収容した収納容器（商品パッケージ１）を取り付け可能であり、前記係合ピン１６と、ロック部材（ロックブロック３４）と、を有する。
【００３５】
ロックブロック３４は、第１のブロック部３５と、第２のブロック部３６と、を有する。
第１のブロック部３５は、吊下げ具本体３１との間に形成した第１のブロックヒンジ部３７において吊下げ具本体３１に対して、第２のブロック部３６と一体に回動可能である。
第２のブロック部３６は、第１のブロック部３５との間に形成した第２のブロックヒンジ部３８において第１のブロック部３５に対して回動可能であって、係合ピン１６に係合可能なブロック係合孔３９を形成している。
ただし、吊下げ具本体３１には、係合ピン１６とは異なる部位に一対の補助係合ピン４０を設けてあり、第１のブロック部３５には、第１のブロックヒンジ部３７において吊下げ具本体３１に対して回動した際に、この一対の補助係合ピン４０にそれぞれ係合可能な一対の補助係合孔４１を形成している。
【００３６】
物品吊下げ具３０を上述のように構成することにより、射出成形工程において、物品吊下げ具３０を型抜きすることができる。
【００３７】
こうした構成の物品吊下げ具３０の使用方法について、図７および図８にもとづき説明する。
図７は、第１のブロック部３５の補助係合孔４１を補助係合ピン４０に嵌め込んで第１のブロック部３５を吊下げ具本体３１に固定した状態の斜視図、図８は、第２のブロック部３６のブロック係合孔３９を係合ピン１６に嵌め込んで、第２のブロック部３６を吊下げ具本体３１に固定した状態の斜視図である。
【００３８】
図７に示すように、第１のブロックヒンジ部３７を軸として第１のブロック部３５および第２のブロック部３６を吊下げ具本体３１方向に回動させて、補助係合ピン４０と補助係合孔４１とを係合させることにより、第１のブロック部３５を吊下げ具本体３１に対して固定し、第２のブロック部３６を吊下げ具本体３１に対して回動可能な態勢とすることができる。
【００３９】
図８に示すように、第２のブロックヒンジ部３８を軸として第２のブロック部３６を吊下げ具本体３１方向に回動させ、商品パッケージ１の取付け用貫通孔２にあらかじめ挿通させた状態の係合ピン１６とブロック係合孔３９とを係合させることにより、第２のブロック部３６と吊下げ具本体３１との間に商品パッケージ１を固定することができる。
【００４０】
かくして図４に示した状態と同様に、複数個の商品パッケージ１を複数個の物品吊下げ具３０により陳列棚６の吊下げ用フック７にそれぞれ一定方向に並列した状態で吊り下げることができ、吊下げ用フック７上に商品パッケージ１を整然と整列した状態で、しかもそれぞれの商品パッケージ１の間に所定の間隔をあけた状態での陳列が可能である。
したがって、それぞれの物品吊下げ具３０上におけるＲＦＩＤインレイ３とのデータ通信を確実かつ安定して行うことができる。
【符号の説明】
【００４１】
１  商品パッケージ（収納容器、図４、図９）
２  取付け用貫通孔
２Ａ  連続孔（図９）
３  ＲＦＩＤインレイ
４  ＩＣチップ
５  ＲＦＩＤアンテナ
６  陳列棚
７  吊下げ用フック
８  リーダーライターアンテナ（図１０）
１０  物品吊下げ具（第１の実施例、図１）
１１  吊下げ具本体
１２  インレイ取付け部
１２Ａ  インレイ取付け部１２の上端面
１３  フック引掛け部
１４  物品取付け部
１５  吊下げ用開口窓
１５Ａ  吊下げ用開口窓１５の縁部開口窓
１５Ｂ  吊下げ用開口窓１５の中心開口窓
１６  係合ピン
１７  ロック片（ロック部材）
１８  ロック片係合孔
１９  ロック片ヒンジ部
２０  吊下げ用フック７の屋根部
３０  物品吊下げ具（第２の実施例、図５）
３１  吊下げ具本体
３１Ａ  吊下げ具本体３１の正面
３１Ｂ  吊下げ具本体３１の上端面
３２  インレイ取付け部（吊下げ具本体３１の上端面３１Ｂ）
３３  物品取付け部
３４  ロックブロック（ロック部材）
３５  ロックブロック３４の第１のブロック部
３６  ロックブロック３４の第２のブロック部
３７  第１のブロック部３５の第１のブロックヒンジ部
３８  第２のブロック部３６の第２のブロックヒンジ部
３９  ブロック係合孔
４０  一対の補助係合ピン
４１  一対の補助係合孔
Ｍ    商品（被吊下げ物品）
【図１】
0005904747.tif 000002
【図２】
0005904747.tif 000003
【図３】
0005904747.tif 000004
【図４】
0005904747.tif 000005
【図５】
0005904747.tif 000006
【図６】
0005904747.tif 000007
【図７】
0005904747.tif 000008
【図８】
0005904747.tif 000009
【図９】
0005904747.tif 000010
【図１０】
0005904747.tif 000011